(57)【要約】【課題】撮影傾向を考慮した撮影モードの再生を行う。【解決手段】デジタルカメラ１００であって、被写体を撮影する撮影手段の撮影条件を規定する複数の撮影モードを表示する液晶表示画面５と、複数の撮影モードの中から何れか一の撮影モードを選択する操作キーと、被写体を撮影した際の複数の撮影条件を解析するとともに、その解析結果に基づいて液晶表示画面に表示される撮影モードの順序や表示の有無を設定する処理を行うＣＰＵ１６とを備えている。【選択図】図２
2008089669.tif 000002
【特許請求の範囲】
【請求項１】
被写体を撮影する撮影手段と、
前記撮影手段により前記被写体を撮影した際の撮影条件を記録する撮影条件記録手段と、
前記撮影条件記録手段に記録された前記撮影条件の履歴を解析する撮影条件履歴解析手段と、
前記撮影手段の撮影条件を規定する複数の撮影モードを再生する撮影モード再生手段と、
前記撮影モード再生手段により再生される複数の撮影モードの中から何れか一の撮影モードを選択するモード選択手段と、
前記撮影条件履歴解析手段による解析結果に基づいて、前記撮影モード再生手段により再生される前記撮影モードの順番を変更する再生順変更手段とを備えることを特徴とする撮影装置。
【請求項２】
前記撮影モード再生手段による前記撮影モードの再生に基づいて、前記撮影モードを表示する撮影モード表示手段を備えることを特徴とする請求項１に記載の撮影装置。
【請求項３】
前記撮影条件記録手段に記録された前記複数の撮影条件の中で、前記撮影条件履歴解析手段による解析対象となる所定数の撮影条件を指定する解析対象指定手段を備えることを特徴とする請求項１又は２に記載の撮影装置。
【請求項４】
前記撮影条件履歴解析手段は、前記再生順変更手段による前記撮影モードの順序の変更に係る変更基準情報を生成する変更基準情報生成手段を備え、
前記再生順変更手段は、前記変更基準情報生成手段により生成された前記変更基準情報に基づいて、前記撮影モードの再生順を変更することを特徴とする請求項１〜３の何れか一項に記載の撮影装置。
【請求項５】
前記変更基準情報は、前記撮影手段による撮影の際の使用頻度が高い撮影条件に基づいて規定されていることを特徴とする請求項４に記載の撮影装置。
【請求項６】
前記変更基準情報は、前記撮影手段による撮影の際の前記撮影条件の使用頻度に応じて規定される複数の基準情報を有し、
前記再生順変更手段は、前記複数の基準情報に基づいて、前記撮影モードの再生順を変更することを特徴とする請求項４又は５に記載の撮影装置。
【請求項７】
前記モード選択手段により選択された前記撮影モードの前記撮影条件を調整する撮影条件調整手段を備え、
前記撮影条件履歴記録手段は、前記撮影条件調整手段により前記撮影条件が調整された前記撮影モードで、前記撮影手段により前記被写体を撮影した際の撮影条件を記録する調整後撮影条件記録手段を備えることを特徴とする請求項１〜６の何れか一項に記載の撮影装置。
【請求項８】
前記撮影条件を入力して撮影モードを設定する撮影モード設定手段を備え、
前記撮影条件履歴記録手段は、前記撮影モード設定手段により設定された前記撮影モードで、前記撮影手段により前記被写体を撮影した際の撮影条件を記録する設定後撮影条件記録手段を備えることを特徴とする請求項１〜７の何れか一項に記載の撮影装置。
【請求項９】
前記撮影モード表示手段は、前記複数の撮影モードを一覧表示する一覧表示手段を備えることを特徴とする請求項１〜８の何れか一項に記載の撮影装置。
【請求項１０】
前記再生順変更手段による変更前後の撮影モードの再生順を切り替える再生順切替手段を備えることを特徴とする請求項１〜９の何れか一項に記載の撮影装置。
【請求項１１】
被写体を撮影する撮影手段と、
前記撮影手段により前記被写体を撮影した際の撮影条件を記録する撮影条件記録手段と、
前記撮影条件記録手段に記録された前記撮影条件の履歴を解析する撮影条件履歴解析手段と、
前記撮影手段の撮影条件を規定する複数の撮影モードを再生する撮影モード再生手段と、
前記撮影モード再生手段で再生させた複数の撮影モードの中から何れか一の撮影モードを選択するモード選択手段と、
前記撮影条件履歴解析手段による解析結果に基づいて、前記撮影モード再生手段により再生される前記撮影モードの再生の有無を設定する再生有無設定手段とを備えることを特徴とする撮影装置。
【請求項１２】
被写体を撮影する撮影手段と、前記撮影手段により前記被写体を撮影した際の撮影条件を記録する撮影条件記録手段とを備え、前記撮影手段の撮影条件を規定する複数の撮影モードを再生する処理を行う撮影装置を用いた撮影モード表示方法であって、
前記撮影装置は、再生される複数の撮影モードの中から何れか一の撮影モードを選択するモード選択手段を備え、
前記撮影条件記録手段に記録された前記撮影条件の履歴を解析する処理と、
前記撮影条件の履歴の解析結果に基づいて、再生される前記撮影モードの順番を変更する処理とを行うことを特徴とする撮影モード表示方法。
【請求項１３】
被写体を撮影する撮影手段と、前記撮影手段により前記被写体を撮影した際の撮影条件を記録する撮影条件記録手段と、前記撮影手段の撮影条件を規定する複数の撮影モードを再生する撮影モード再生手段と、前記撮影モード再生手段により再生される複数の撮影モードの中から何れか一の撮影モードを選択するモード選択手段とを備える撮影装置に、
前記撮影条件記録手段に記録された前記撮影条件の履歴を解析する機能と、
前記撮影条件の履歴の解析結果に基づいて、前記撮影モード再生手段により再生される前記撮影モードの順番を変更する機能とを実現させることを特徴とするプログラム。
【発明の詳細な説明】
【技術分野】
【０００１】
本発明は、所定の撮影モードで被写体を撮影する撮影装置、撮影モード表示方法及びプログラムに関する。
【背景技術】
【０００２】
従来、撮影状況等に応じて予め設定された複数の撮影モードの何れかを利用して被写体の撮影を行うことができるデジタルカメラが開発されている。
このデジタルカメラにあっては、例えば、所定の表示順序に従って表示される撮影モード選択画面の中からユーザ所望の撮影モードを選択指示するようになっている。
【０００３】
しかしながら、設定された撮影モード数が多いと、複数の撮影モードの中から所望の撮影モードを選択するため、操作が煩雑となって時間がかかってしまう。ここで、頻繁に使用する撮影モードを予めショートカットキー等に割り当てるといった方法も考えられるが、設定操作が面倒であるといった問題がある。
【０００４】
そこで、シャッターボタンの半押し操作の際の画像を解析して類似性の高い撮影モードの優先順位を高くして撮影モードの順序を並び替える技術が提案されている（例えば、特許文献１参照）。
【特許文献１】特開２００５−１５１３７５号公報
【発明の開示】
【発明が解決しようとする課題】
【０００５】
しかしながら、上記特許文献１等の場合、シャッターボタンの半押し操作の際の画像を分析して撮影モードを並び替えることにより撮影しようとしている状況に合わせた撮影モード順としているが、これは撮影者の撮影傾向を考慮したものではないという課題があった。
【０００６】
そこで、本発明が解決する課題は、撮影傾向を考慮した撮影モードの再生を行うことができる撮影装置、撮影モード表示方法及びプログラムを提供することである。
【課題を解決するための手段】
【０００７】
請求項１に記載の発明の撮影装置（例えば、図１のデジタルカメラ１００等）は、
被写体を撮影する撮影手段（例えば、図２のＣＣＤ７等）と、
前記撮影手段により前記被写体を撮影した際の撮影条件を記録する撮影条件記録手段（例えば、図２の記憶部１５等）と、
前記撮影条件記録手段に記録された前記撮影条件の履歴を解析する撮影条件履歴解析手段（例えば、図２のＣＰＵ１６等）と、
前記撮影手段の撮影条件を規定する複数の撮影モードを再生する撮影モード再生手段（例えば、図２のＣＰＵ１６等）と、
前記撮影モード再生手段により再生される複数の撮影モードの中から何れか一の撮影モードを選択するモード選択手段（例えば、図１の操作キー６１等）と、
前記撮影条件履歴解析手段による解析結果に基づいて、前記撮影モード再生手段により再生される前記撮影モードの順番を変更する再生順変更手段（例えば、図２のＣＰＵ１６等）とを備えることを特徴とする。
【０００８】
請求項２に記載の発明は、請求項１に記載の撮影装置において、
前記撮影モード再生手段による前記撮影モードの再生に基づいて、前記撮影モードを表示する撮影モード表示手段（例えば、図１の液晶表示画面５等）を備えることを特徴とする。
【０００９】
請求項３に記載の発明は、請求項１又は２に記載の撮影装置において、
前記撮影条件記録手段に記録された前記複数の撮影条件の中で、前記撮影条件履歴解析手段による解析対象となる所定数の撮影条件を指定する解析対象指定手段（例えば、図１の操作キー６１等）を備えることを特徴とする。
【００１０】
請求項４に記載の発明は、請求項１〜３の何れか一項に記載の撮影装置において、
前記撮影条件履歴解析手段は、前記再生順変更手段による前記撮影モードの順序の変更に係る変更基準情報を生成する変更基準情報生成手段（例えば、図２のＣＰＵ１６等）を備え、
前記再生順変更手段は、前記変更基準情報生成手段により生成された前記変更基準情報に基づいて、前記撮影モードの再生順を変更することを特徴とする。
【００１１】
請求項５に記載の発明は、請求項４に記載の撮影装置において、
前記変更基準情報は、前記撮影手段による撮影の際の使用頻度が高い撮影条件に基づいて規定されていることを特徴とする。
【００１２】
請求項６に記載の発明は、請求項４又は５に記載の撮影装置において、
前記変更基準情報は、前記撮影手段による撮影の際の前記撮影条件の使用頻度に応じて規定される複数の基準情報を有し、
前記再生順変更手段は、前記複数の基準情報に基づいて、前記撮影モードの再生順を変更することを特徴とする。
【００１３】
請求項７に記載の発明は、請求項１〜６の何れか一項に記載の撮影装置において、
前記モード選択手段により選択された前記撮影モードの前記撮影条件を調整する撮影条件調整手段（例えば、図１の操作キー６１等）を備え、
前記撮影条件履歴記録手段は、前記撮影条件調整手段により前記撮影条件が調整された前記撮影モードで、前記撮影手段により前記被写体を撮影した際の撮影条件を記録する調整後撮影条件記録手段（例えば、図２の記憶部１５等）を備えることを特徴とする。
【００１４】
請求項８に記載の発明は、請求項１〜７の何れか一項に記載の撮影装置において、
前記撮影条件を入力して撮影モードを設定する撮影モード設定手段（例えば、図１の操作キー６１等）を備え、
前記撮影条件履歴記録手段は、前記撮影モード設定手段により設定された前記撮影モードで、前記撮影手段により前記被写体を撮影した際の撮影条件を記録する設定後撮影条件記録手段（例えば、図２の記憶部１５等）を備えることを特徴とする。
【００１５】
請求項９に記載の発明は、請求項１〜８の何れか一項に記載の撮影装置において、
前記撮影モード表示手段は、前記複数の撮影モードを一覧表示する一覧表示手段（例えば、図１の液晶表示画面５等）を備えることを特徴とする。
【００１６】
請求項１０に記載の発明は、請求項１〜９の何れか一項に記載の撮影装置において、
前記再生順変更手段による変更前後の撮影モードの再生順を切り替える再生順切替手段（例えば、図２のＣＰＵ１６等）を備えることを特徴とする。
【００１７】
請求項１１に記載の発明の撮影装置（例えば、図１のデジタルカメラ１００等）は、
被写体を撮影する撮影手段（例えば、図２のＣＣＤ７等）と、
前記撮影手段により前記被写体を撮影した際の撮影条件を記録する撮影条件記録手段（例えば、図２の記憶部１５等）と、
前記撮影条件記録手段に記録された前記撮影条件の履歴を解析する撮影条件履歴解析手段（例えば、図２のＣＰＵ１６等）と、
前記撮影手段の撮影条件を規定する複数の撮影モードを再生する撮影モード再生手段（例えば、図２のＣＰＵ１６等）と、
前記撮影モード再生手段で再生させた複数の撮影モードの中から何れか一の撮影モードを選択するモード選択手段（例えば、図１の操作キー６１等）と、
前記撮影条件履歴解析手段による解析結果に基づいて、前記撮影モード再生手段により再生される前記撮影モードの再生の有無を設定する再生有無設定手段（例えば、図２のＣＰＵ１６等）とを備えることを特徴とする。
【００１８】
請求項１２に記載の発明は、
被写体を撮影する撮影手段（例えば、図２のＣＣＤ７等）と、前記撮影手段により前記被写体を撮影した際の撮影条件を記録する撮影条件記録手段（例えば、図２の記憶部１５等）とを備え、前記撮影手段の撮影条件を規定する複数の撮影モードを再生する処理を行う撮影装置（例えば、図１のデジタルカメラ１００等）を用いた撮影モード表示方法であって、
前記撮影装置は、再生される複数の撮影モードの中から何れか一の撮影モードを選択するモード選択手段（例えば、図１の操作キー６１等）を備え、
前記撮影条件記録手段に記録された前記撮影条件の履歴を解析する処理と、
前記撮影条件の履歴の解析結果に基づいて、再生される前記撮影モードの順番を変更する処理とを行うことを特徴とする。
【００１９】
請求項１３に記載の発明のプログラムは、
被写体を撮影する撮影手段（例えば、図２のＣＣＤ７等）と、前記撮影手段により前記被写体を撮影した際の撮影条件を記録する撮影条件記録手段（例えば、図２の記憶部１５等）と、前記撮影手段の撮影条件を規定する複数の撮影モードを再生する撮影モード再生手段（例えば、図２のＣＰＵ１６等）と、前記撮影モード再生手段により再生される複数の撮影モードの中から何れか一の撮影モードを選択するモード選択手段（例えば、図１の操作キー６１等）とを備える撮影装置（例えば、図１のデジタルカメラ１００等）に、
前記撮影条件記録手段に記録された前記撮影条件の履歴を解析する機能と、
前記撮影条件の履歴の解析結果に基づいて、前記撮影モード再生手段により再生される前記撮影モードの順番を変更する機能とを実現させることを特徴とする。
【発明の効果】
【００２０】
本発明によれば、撮影傾向を考慮した撮影モードの再生を行うことができる。
【発明を実施するための最良の形態】
【００２１】
以下に、本発明について、図面を用いて具体的な態様を説明する。ただし、発明の範囲は、図示例に限定されない。
本実施形態のデジタルカメラ（撮影装置）１００は、複数の撮影モードの中から何れか一の撮影モードを選択することで撮影条件を自動設定して撮影することができる簡易撮影機能を具備するものであり、撮影モード選択画面にて被写体の撮影履歴に基づいて液晶表示画面に表示される撮影モードの表示順を変更する表示順変更処理を実行するようになっている。
【００２２】
図１（ａ）は、本発明を適用した一実施形態のデジタルカメラ１００を模式的に示した正面図であり、図１（ｂ）は、デジタルカメラ１００の背面図である。
デジタルカメラ１００は、例えば、略直方体状に形成された筐体１を有し、図１（ａ）に示すように、筐体１の正面側の中央やや右寄りの位置には、被写体を撮影するためのレンズ部２が配設され、その上側に被写体の撮影時に発光するフラッシュ３が配設され、その右側に撮影範囲を視認するためのファインダー４が配設されている。また、図１（ｂ）に示すように、例えば、筐体１の背面側の中央やや左寄りの位置には、撮影画像が表示される液晶表示画面５が配設され、その右下側に各種操作を行うための操作キー６１が配設され、その上側にズームイン及びズームアウトを指示するズームキー６２が配設されている。また、デジタルカメラ１００の上面側には、例えば、撮影動作を指示するシャッター６３が配設されている。
【００２３】
操作キー６１、ズームキー６２及びシャッター６３は、例えば、デジタルカメラ１００の各種動作の実行を指示する操作部（図２参照）６を構成しており、ユーザによる所定操作に応じて操作信号をＣＰＵ１６（後述）に出力するようになっている。
【００２４】
操作キー６１は、例えば、上下左右のカーソルキー、通常撮影モードや簡易撮影モード等を切り替えるためのモード設定キー（図示略）等を備えて構成されている。
【００２５】
また、操作キー６１は、モード選択手段として、ユーザによる所定操作に基づいて、液晶表示画面５に表示された複数の撮影モードの中から何れか一の撮影モードを選択決定するようになっている。
ここで、撮影モードとしては、例えば、人物を写すモード１、風景を写すモード２、風景と人物を写すモード３、２つの画像を撮影して合成する（カップリングショット）モード４、仮撮影後に他人に本撮影を行ってもらう（プリショット）モード５、子供を写すモード６、キャンドルライトで人物を写すモード７、パーティを写すモード８、ペットを写すモード９、花を写すモード１０等が挙げられる（図４及び図５参照）。また、各撮影モードは、例えば、「露出モード」、「ＥＶシフト」、「フラッシュ」、「ホワイトバランス」、「ＩＳＯ感度」、「測光方式」、「フィルタ」、「色強調」、「シャープネス」、「彩度」、「コントラスト」、「フラッシュ光量」、「フォーカスモード」、「ＡＦエリア」等の撮影条件を規定するものである（図８参照）。
【００２６】
そして、これらの撮影モードは、例えば、図４（ａ）〜（ｅ）並びに図５（ａ）〜（ｅ）に示すように、撮影モード選択画面にて、ユーザによる操作キー６１の所定操作（例えば、左右のカーソルキーの押下等）に基づいてモード１からモード１０へと予め設定された順に液晶表示画面（撮影モード表示手段）５に一つずつ表示されるようになっている。そして、液晶表示画面５に所望の撮影モードが表示された状態で、ユーザによる操作キー６１の所定操作（例えば、決定キーの押下等）に基づいて、撮影モードが指定されるようになっている。
【００２７】
また、操作キー６１は、解析指定手段として、後述する撮影条件解析処理にて、記憶部に記憶された撮影履歴情報テーブルの複数の撮影条件の中で解析対象となる所定数の撮影条件を指定するようになっている。
即ち、本実施形態にあっては、例えば、初期設定として、撮影開始から現在までの期間に撮影された撮影条件が解析対象として自動的に指定されるようになっているが、ユーザによる操作キー６１の所定操作に基づいて撮影開始時期や撮影終了時期を設定することにより、解析対象となる撮影条件を任意に指定することができるようになっている。
【００２８】
図２は、デジタルカメラ１００の概略構成を示すブロック図である。
例えば、図２に示すように、デジタルカメラ１００の筐体１の内側には、ＣＣＤ（Charge Coupled Device）７、Ａ／Ｄ変換器８、画像フレームバッファ９、信号処理部１０、液晶表示制御部１１、ＣＣＤ制御部１２、レンズ制御部１３、記録媒体１４、記憶部１５、ＣＰＵ１６等が設けられている。
【００２９】
ＣＣＤ７は、例えば、レンズ部２を通過した光を光量に応じて光電変換して蓄積するものである。そして、ＣＣＤ７に蓄積された電荷は、例えば、ＣＰＵ１６の制御下にて駆動するＣＣＤ制御部１２からの制御信号に基づいて順次読み出されて、Ａ／Ｄ変換器８に出力される。
なお、ＣＣＤ７に代えて、例えば、ＣＭＯＳ（Complementary Metal-oxide Semiconductor）等の撮像素子を適用しても良い。
【００３０】
Ａ／Ｄ変換器８は、例えば、入力されたアナログ信号をデジタル画像データに変換して、画像フレームバッファ９に出力するものである。
【００３１】
画像フレームバッファ９は、例えば、入力された画像データを一時的に記憶するものであり、ＣＰＵ１６から出力され入力される制御信号に基づいて画像データを読み出して、信号処理部１０に出力するようになっている。
【００３２】
信号処理部１０は、例えば、ＣＰＵ１６の制御下にて駆動し、入力された画像データに対して所定の画像処理を施すものであり、画像処理後の画像データを液晶表示制御部１１に出力するようになっている。
【００３３】
液晶表示制御部１１は、例えば、ＣＰＵ１６から出力され入力される表示制御信号に従って液晶表示画面５を制御して、信号処理部１０から出力され入力される画像データに応じた撮影画像を液晶表示画面５に表示させるようになっている。
【００３４】
レンズ制御部１３は、例えば、ＣＰＵ１６の制御下にて駆動して、レンズ部２のフォーカスレンズやズームレンズ（何れも図示略）の光軸方向の移動を制御するものである。
【００３５】
記録媒体１４は、例えば、カメラ本体に着脱自在に設けられ、撮影された画像データを記録するようになっている。
【００３６】
ＣＰＵ（Central Processing Unit）１６は、例えば、記憶部１５に記憶されている各種プログラムを読み出し、記憶部１５内に形成された作業領域に展開し、当該プログラムに従って各部を統括的に制御するものである。
【００３７】
記憶部１５は、例えば、各種プログラムやデータ等を記憶するメモリや、ＣＰＵ１６の作業領域を構成するメモリ等を備えている。
具体的には、記憶部１５には、例えば、図３に示すように、撮影モード再生プログラム１５ｓ、撮影条件解析プログラム１５ａ、表示順変更プログラム１５ｂ、表示順切替プログラム１５ｃ等のプログラムや、撮影履歴情報テーブル１５ｄ、変更基準情報１５ｅ等が記憶されている。
【００３８】
撮影モード再生プログラム１５ｓは、ＣＰＵ１６を撮影モード再生手段として機能させるものである。即ち、撮影モード再生プログラム１５ｓは、撮影手段の撮影条件を規定する複数の撮影モードを再生する、即ち、複数の撮影モードに係る簡易撮影モードの撮影モード選択画面等の撮影モード再生情報を所定の記憶手段から読み出して、液晶表示制御部１１に出力する処理に係る機能をＣＰＵ１６に実現させるためのプログラムである。
【００３９】
撮影条件解析プログラム１５ａは、ＣＰＵ１６を撮影条件履歴解析手段として機能させるものである。即ち、撮影条件解析プログラム１５ａは、記憶部（撮影条件記録手段）１５に記憶されている被写体を撮影した際の撮影手段の複数の撮影条件に係る撮影履歴情報テーブル１５ｄ（図６（ａ）参照）に基づいて、これまでの複数の撮影条件の履歴を解析する撮影条件解析処理に係る機能をＣＰＵ１６に実現させるためのプログラムである。
具体的には、ＣＰＵ１６は、変更基準情報生成手段として、撮影条件解析プログラム１５ａの実行に基づいて、例えば、撮影履歴情報テーブル１５ｄに記録されている複数の撮影条件を解析して、後述する表示順変更処理による撮影モードの表示順の変更に係る変更基準情報１５ｅ（図７参照）を生成するようになっている。
この変更基準情報１５ｅは、例えば、これまでの被写体の撮影の際に使用された撮影条件の中で、使用頻度が高い撮影条件に基づいて規定されている。
【００４０】
以下に、撮影条件解析処理について、図６（ａ）及び図６（ｂ）並びに図７を参照して具体的に説明する。
ここで、図６（ａ）は、撮影履歴情報テーブル１５ｄの一例を示す図であり、図６（ｂ）は、撮影履歴情報テーブル１５ｄ中の数値と撮影条件の内容との対応関係を示す図である。また、図７は、変更基準情報１５ｅの一例を示す図である。
【００４１】
撮影履歴情報テーブル１５ｄは、例えば、図６（ａ）に示すように、撮影番号（例えば、「００００１」〜「０４８６８」等）と各撮影条件（例えば、「露出モード」、「ＥＶシフト」、「フラッシュ」、「ホワイトバランス」、「ＩＳＯ感度」、「測光方式」、「フィルタ」、「色強調」、「シャープネス」、「彩度」、「コントラスト」、「フラッシュ光量」、「フォーカスモード」、「ＡＦエリア」等）が対応付けられたテーブルである。
なお、各撮影条件の詳細な内容については、例えば、図６（ｂ）に示すように、「露出モード」のカラム内の「０」は絞りを自動で制御する「ノーマル」を、「１」は絞りを開放する「オープン」を表している。
また、「フラッシュ」のカラム内の「０」は自動的に発光する「自動発光」を、「１」は常に発光を禁止する「発光禁止」を、「２」は常に強制的に発光する「強制発光」を、「３」は赤目を軽減させるように発光する「赤目軽減」を表している。
また、「ホワイトバランス」のカラム内の「０」は撮影状況に応じて自動的に調整する「オート」を、「１」は太陽光下での撮影であるとして調整する「太陽光」を、「２」は曇天下での撮影であるとして調整する「曇天」を、「３」は日陰での撮影であるとして調整する「日陰」を、「４」及び「５」は蛍光灯下での撮影であるとして調整する「蛍光灯１」及び「蛍光灯２」を、「６」は電球下での撮影であるとして調整する「電球」を、「７」はマニュアルで調整された「マニュアル」を表している。
また、「ＩＳＯ感度」のカラム内の「０」は撮影状況に応じて自動的に設定する「オート」を、「１」は「ＩＳＯ感度」を５０に設定する「５０」を、「２」は１００に設定する「１００」を、「３」は２００に設定する「２００」を、「４」は４００に設定する「４００」を表している。
また、「測光方式」のカラム内の「０」は「マルチ測光方式」を、「１」は「中央重点測光方式」を、「２」は「スポット測光方式」を表している。
また、「フィルタ」のカラム内の「０」はフィルタを使用しない撮影である「なし」を、「１」は赤色フィルタをかけた撮影である「赤」を、「２」は青色フィルタをかけた撮影である「青」を、「３」は緑色フィルタをかけた撮影である「緑」を表している。
また、「色強調」のカラム内の「０」はいずれの色も強調しない「なし」を、「１」は肌色を強調する「肌色」を、「２」は赤色を強調する「赤」を、「３」は青色を強調する「青」を、「４」は緑色を強調する「緑」を表している。
また、「フォーカスモード」のカラム内の「０」はオートフォーカスで撮影された「ＡＦ」を、「１」はマクロモードで撮影された「マクロ」を、「２」は合焦位置を無限遠に合わせて撮影された「無限遠」を、「３」は合焦位置がマニュアルで調整された「マニュアル」を表している。
また、「ＡＦエリア」のカラム内の「０」は画角の略中央にＡＦする「スポット」を、「１」は複数エリアの中から適当なエリアを自動検出してＡＦする「マルチ」を、「２」はＡＦする座標を入力する「フリー」を表している。
【００４２】
そして、ＣＰＵ１６による撮影条件解析プログラム１５ａの実行に基づいて、撮影履歴情報テーブル１５ｄの各々の撮影条件毎に使用頻度が最も高い条件（設定値）を算出して、それら全ての撮影条件をまとめて変更基準情報１５ｅとする。
これにより、例えば、図７に示すように、撮影条件として、例えば、「露出モード」は「０」、「ＥＶシフト」は「０」、「フラッシュ」は「０」、「ホワイトバランス」は「０」、「ＩＳＯ感度」は「０」、「測光方式」は「０」、「フィルタ」は「０」、「色強調」は「１」、「シャープネス」は「０」、「彩度」は「０」、「コントラスト」は「０」、「フラッシュ光量」は「０」、「フォーカスモード」は「０」、「ＡＦエリア」は「０」が設定された変更基準情報１５ｅが生成される。
【００４３】
なお、本実施形態に係る撮影手段は、被写体の撮影に関わるもの全てにより構成され、具体的には、レンズ部２、フラッシュ３、操作キー６１、ズームキー６２、シャッター６３ＣＣＤ７、Ａ／Ｄ変換器８、画像フレームバッファ９、信号処理部１０、ＣＣＤ制御部１２、レンズ制御部１３、ＣＰＵ１６等により構成されている。
【００４４】
表示順変更プログラム１５ｂは、ＣＰＵ１６を再生順変更手段として機能させるものである。即ち、表示順変更プログラム１５ｂは、撮影条件解析処理の解析結果に基づいて、簡易撮影モードの撮影モード選択画面等の撮影モード再生情報の再生順を変更して、液晶表示画面５に表示される複数の撮影モードの表示順を変更する表示順変更処理に係る機能をＣＰＵ１６に実現させるためのプログラムである。
具体的には、ＣＰＵ１６による表示順変更プログラム１５ｂの実行に基づいて、撮影条件解析処理にて生成された変更基準情報１５ｅに基づいて撮影モードの表示順を変更するようになっている。
【００４５】
以下に、表示順変更処理について、図８及び図９を参照して具体的に説明する。
ここで、図８は、表示順変更処理に係る比較結果テーブルＴ１の一例を示す図である。また、図９（ａ）は、表示順変更処理前の撮影モードの表示順を模式的に示した図であり、図９（ｂ）は、表示順変更処理後の撮影モードの表示順を模式的に示した図である。
【００４６】
ＣＰＵ１６は、例えば、表示順変更プログラム１５ｂを実行して、簡易撮影モードを構成する複数の撮影モード（例えば、モード１〜モード１０等）について、全ての撮影条件の設定値と、撮影条件解析処理にて生成された変更基準情報１５ｅの基準値とを比較して、全ての撮影条件について設定値と基準値との合致数を算出し、合致数の多い撮影モードから順に表示されるように表示順を変更する。
具体的には、例えば、図８に示すように、モード１、モード４、モード５及びモード６は変更基準情報１５ｅと全ての撮影条件で合致して合致数が「１４」となり、また、モード８及びモード９は「色強調」以外の撮影条件で合致して合致数が「１３」となり、同様に、モード３及びモード１０は合致数が「１１」、モード７は合致数が「９」、モード２は合致数が「６」となる。
そして、ＣＰＵ１６は、合致数が多い順となるように変更後の表示順を決定して、例えば、図９に示すように、１番目はモード１のままで、２番目がモード４に、３番目がモード５に、４番目がモード６に、５番目がモード８に、６番目がモード９に、７番目がモード３に、８番目がモード１０に、９番目がモード７に、１０番目がモード２になるように表示順を変更する。
なお、図８及び図９にあっては、モード１〜モード１０の中で、撮影条件の設定値と変更基準情報１５ｅの基準値との合致数が同数（比較結果が同一）となった撮影モードが複数存在した場合、表示順変更前の順序に従って表示順を決定するようになっている。
【００４７】
表示順切替プログラム１５ｃは、ＣＰＵ１６を表示順切替手段として機能させるものである。即ち、表示順切替プログラム１５ｃは、表示順変更処理の実行前後の撮影モードの表示順を切り替える表示順切替処理に係る機能をＣＰＵ１６に実現させるためのプログラムである。
具体的には、簡易撮影モードが選択されて撮影モード選択画面が液晶表示画面５に表示された状態で、ユーザによる操作キー６１の所定操作に基づいて、変更前後の撮影モードの表示順の切替指示がＣＰＵ１６に入力されると、ＣＰＵ１６は、表示順切替プログラム１５ｃを実行して、表示順変更処理実行前の撮影モードの表示順（図９（ａ）参照）と処理実行後の撮影モードの表示順（図９（ｂ）参照）とを切り替えて液晶表示画面５に表示させるようになっている。
【００４８】
次に、デジタルカメラ１００により撮影モードの表示順を変更する際の動作について、図１０を参照して説明する。
図１０は、表示順変更処理に係る動作の一例を示すフローチャートである。
なお、以下に説明する表示順変更処理にあっては、予めデジタルカメラ１００により複数枚の画像の撮影が行われて、記憶部１５の撮影履歴情報テーブル１５ｄに複数の撮影条件が記録されているものとする。
【００４９】
先ず、ユーザによる操作部６の所定操作に基づいて、簡易撮影モードのユーザ所望の撮影モードにて被写体の撮影が行われると（ステップＳ１）、ＣＰＵ１６は、当該被写体画像の画像データを記録媒体１４に記録する（ステップＳ２）。
【００５０】
続けて、ＣＰＵ１６は、被写体の撮影の際の撮影モードにより規定される各種撮影条件を取得して、撮影番号と対応付けて撮影履歴情報テーブル１５ｄに記録させる（ステップＳ３）。
すると、ＣＰＵ１６は、撮影条件解析プログラム１５ａを実行して、撮影履歴情報テーブル１５ｄに記録されている全ての撮影条件を解析して、これまでの被写体の撮影の際に使用された撮影条件の中で使用頻度が最も高い撮影条件に基づいて変更基準情報１５ｅを生成する（ステップＳ４）。
なお、ステップＳ４以降の処理は、撮影の際に毎回行なわれる必要はなく、所定のタイミング、例えば電源をオフするときや、撮影モードを切り替えるときにのみ実行されるようにしても良い。
【００５１】
次に、ＣＰＵ１６は、表示順変更プログラム１５ｂを実行して、モード１〜モード１０の撮影モードの各々について順に各撮影条件の設定値（パラメータ値）を取得し（ステップＳ５）、変更基準情報１５ｅの基準値と比較して合致数を取得する（ステップＳ６）。
ここで、ＣＰＵ１６は、各撮影モードに係る合致数を取得する毎に、モード１〜モード１０全ての撮影モードについて処理が終了したか否かを判定して（ステップＳ７）、全ての撮影モードについて終了していないと判定された場合には（ステップＳ７；ＮＯ）、次の撮影モードに係る各撮影条件の設定値を取得して（ステップＳ８）、ステップＳ６に移行してそれ以降の処理の実行を制御する。
一方、ステップＳ７にて、全ての撮影モードについて終了したと判定された場合には（ステップＳ７；ＹＥＳ）、ＣＰＵ１６は、全ての撮影モードに係る合致数を取得して（ステップＳ９）、合致数の多い撮影モードから順に表示されるように撮影モードの表示順を変更する（ステップＳ１０）。
このとき、例えば下位の表示順番である撮影モードに関しては非表示とするなどのように、再生有無設定手としてのＣＰＵ１６の制御下にて、撮影モードの表示順ではなく撮影モードの表示自体の有無を設定して切り替えるように構成しても良い。
【００５２】
そして、ＣＰＵ１６は、変更後の撮影モードの表示順に従って表示順番号テーブルを作成して、記憶部１５の所定の記憶領域に記憶する（ステップＳ１１）。
【００５３】
その後、ユーザによる次の被写体の撮影に際して、モード設定キーの操作に基づいて簡易撮影モードが選択されると（ステップＳ１２；ＹＥＳ）、ＣＰＵ１６は、記憶部１５に記憶されている表示順番号テーブルを読み出して、当該表示順番号テーブルに従って撮影モードの表示順が変更された撮影モード選択画面を表示させる（ステップＳ１３）。
【００５４】
以上のように、本実施形態のデジタルカメラ１００によれば、これまでに撮影された被写体の複数の撮影条件の解析結果に基づいて、ユーザの撮影傾向を考慮して撮影モード選択画面等の撮影モード再生情報の再生順を変更して、液晶表示画面５に表示される複数の撮影モードの表示順を変更することができる。
即ち、簡易撮影モードにて、これまでに撮影された画像の撮影履歴情報に従って表示順変更処理の基準となる変更基準情報１５ｅを生成して、当該変更基準情報１５ｅに基づいて撮影条件の使用頻度の高い順に撮影モードを表示することができ、撮影モードの選択を迅速に、且つ、簡便に行うことができる。
【００５５】
また、撮影条件解析処理における解析対象となる撮影条件を任意に指定することができるので、例えば、最新の所定数件分の撮影条件や所定期間内の撮影条件から変更基準情報１５ｅを算出することができ、撮影モードの表示順の変更をユーザの要求に沿って適正に行うことができる。
【００５６】
さらに、表示順変更処理前のデフォルトで設定された撮影モードの表示順と処理後の撮影モードの表示順を切り替えることができ、例えば、表示順変更処理の結果、使用頻度が低いために表示順が後ろに変更された撮影モードであっても、表示順変更処理前の表示順に従って複数の撮影モードを順に表示させて選択することにより、所望の撮影モードの探索設定をより迅速に行うことができることとなる。
【００５７】
また、従来のデジタルカメラのように、シャッターボタンが半押し操作された段階で撮影モードの並べ替えを行わないため、被写体の撮影の際のＣＰＵ１６の演算量を軽減することができ、この結果、ＣＰＵ１６にかかる負担を軽減して撮影処理をより高速に行うことができる。
【００５８】
なお、上記実施形態では、被写体の撮影が行われる毎に、これまでの撮影条件を解析して撮影モードの表示順を変更するようにしたが、これら処理の実行タイミングはこれに限られるものではなく、例えば、所定枚数の画像が撮影される毎、所定時間毎、デジタルカメラ１００の電源投入時等に実行するようにしても良い。
【００５９】
また、本発明は、上記実施形態に限定されることなく、本発明の趣旨を逸脱しない範囲において、種々の改良並びに設計の変更を行っても良い。
以下に、デジタルカメラ１００の変形例について説明する。
【００６０】
＜変形例１＞
以下に、変形例１のデジタルカメラについて図１１及び図１２を参照して説明する。
図１１は、変形例１のデジタルカメラによる表示順変更処理に係る変更基準情報１１５ｅの一例を示す図である。また、図１２は、表示順変更処理に係る比較結果テーブルＴ２の一例を示す図である。
【００６１】
変形例１のデジタルカメラは、例えば、撮影条件の使用頻度に応じて規定される複数の基準値を有する変更基準情報１１５ｅを設定し、当該複数の基準値に基づいて撮影モードの表示順を変更するようになっている。
【００６２】
即ち、変更基準情報１１５ｅは、例えば、図１１に示すように、使用頻度が最も高い撮影条件に係る第１の基準値１と、使用頻度が２番目に高い撮影条件に係る第２の基準値２とを有している。
具体的には、変更基準情報１１５ｅは、例えば、図１１に示すように、第１の基準値１と、この基準値１と比べて「色強調」が「０」となる点が異なる第２の基準値２とを含んでいる。
【００６３】
そして、ＣＰＵ１６は、表示順変更処理にて、簡易撮影モードを構成する複数の撮影モード（例えば、モード１〜モード１０等）について、全ての撮影条件の設定値と、変更基準情報１１５ｅの基準値１とを比較してそれらの合致数を算出し、当該合致数が重み付けされるように２倍する。さらに、ＣＰＵ１６は、複数の撮影モードの全ての撮影条件の設定値と、変更基準情報１１５ｅの基準値２とを比較してそれらの合致数を算出する。そして、ＣＰＵ１６は、基準値１との合致数を２倍した値と、基準値２との合致数を加算して合計合致数を算出し、当該合計合致数に基づいて合致数の多い撮影モードから順に表示されるように表示順を変更する。
具体的には、例えば、図１２に示すように、モード１、モード４、モード５及びモード６は合致数が「４１」となり、また、モード８及びモード９は「色強調」以外の合致数が基準値１と合致するとともに「色調」が基準値２と合致して合致数が「４０」となり、同様に、モード１０は合致数が「３４」、モード３は合致数が「３２」、モード７は合致数が「２８」、モード２は合致数が「１８」となる。
この結果、ＣＰＵ１６は、撮影モードの表示順を、１番目〜６番目並びに９番目及び１０番目は上記実施形態の表示順と同じ順序（図８及び図９参照）とし、７番目がモード１０に、８番目がモード３になるように変更する。
【００６４】
従って、変形例１のデジタルカメラによれば、撮影条件の使用頻度に応じた複数の基準値に基づいて表示順変更処理を実行することができるので、撮影条件の使用頻度をより柔軟に考慮して撮影モードの表示順を変更することができ、より使い易いデジタルカメラを提供することができる。
【００６５】
なお、上記変形例１では、使用頻度に応じて２つの基準値を用いるようにしたが、これに限られるものではなく、例えば、３つ以上の基準値を用いても良い。この場合にあっても、表示順変更処理の際に、上記変形例１と同様に、使用頻度のより高い基準値との合致数がより重み付けされるように所定数倍するようにしても構わない。
【００６６】
＜変形例２＞
以下に、変形例２のデジタルカメラについて説明する。
変形例２のデジタルカメラは、例えば、被写体の撮影の際に、簡易撮影モードにて選択された撮影モードの撮影条件をユーザによる操作キー６１の所定操作に基づいて調整することができるようになっており、調整後の撮影モードで被写体を撮影した際の撮影条件を撮影履歴情報テーブル１５ｄに記録するようになっている。
ここで、操作キー６１は、選択された撮影モードの撮影条件を調整する撮影条件調整手段を構成し、また、記憶部１５は、撮影条件が調整された撮影モードで被写体を撮影した際の撮影条件を記録する調整後撮影条件記録手段を構成している。
【００６７】
従って、変形例２のデジタルカメラによれば、予め設定された撮影モードの撮影条件をユーザが調整した場合であっても、当該撮影条件を撮影履歴情報テーブル１５ｄに記録することで、ユーザの要求を考慮してより適切な撮影条件解析処理を行うことができ、撮影モードの表示順をユーザの意図を反映して変更することができる。
【００６８】
＜変形例３＞
以下に、変形例３のデジタルカメラについて説明する。
変形例３のデジタルカメラは、例えば、被写体の撮影の際に、ユーザによる操作キー６１の所定操作に基づいて撮影モードの撮影条件を入力してマニュアル設定することができるようになっているとともに、所定操作に基づいて撮影の状況をカメラが自動で認識して撮影条件を自動設定することもできるようになっている。
そして、設定後のマニュアル撮影モードや撮影条件自動設定モードで被写体を撮影した際の撮影条件を撮影履歴情報テーブル１５ｄに記録するようになっている。
ここで、操作キー６１は、撮影条件を入力して撮影モードを設定する撮影モード設定手段を構成し、また、記憶部１５は、設定された撮影モードで被写体を撮影した際の撮影条件を記録する設定後撮影条件記録手段を構成している。
【００６９】
従って、変形例３のデジタルカメラによれば、ユーザが任意に撮影条件を入力設定してマニュアル撮影モードやカメラが撮影の状況を自動認識して撮影条件を自動設定する撮影条件自動設定モードで被写体を撮影した場合であっても、当該撮影条件を撮影履歴情報テーブル１５ｄに記録することで、ユーザの要求を考慮して撮影条件解析処理を行うことができ、撮影モードの表示順をユーザの意図を反映して変更することができる。
【００７０】
なお、上記変形例１〜変形例３に係る構成は、適宜組み合わせて実施するようにしても良い。これによって、より便利な機能を提供することができる。
また、上記実施形態では、ユーザによる操作キー６１の所定操作に基づいて、複数の撮影モードがモード１からモード１０へと順に液晶表示画面５に一つずつ表示されるようにしたが、これに限られるものではなく、例えば、液晶表示画面５に、複数の撮影モードに係るサムネイル画像を一覧表示するようにしても良い。
ここで、液晶表示画面５は、複数の撮影モードを一覧表示する一覧表示手段を構成している。
これにより、より使用頻度の高い方から所定数の撮影モードに係るサムネイル画像が液晶表示画面５に表示されることとなって、ユーザは一の撮影モードに使用頻度の近い他の撮影モードも把握することができることとなって、所望の撮影モードの選択をより好適に行うことができる。
このとき、本発明に関わる撮影モードの並び替えを行った後の順番１と、並び替えを行わないデフォルトの順番２を、所定の操作により切り替え可能に構成しても構わないし、さらに別の順番３と切り替え可能に構成しても構わない。
これにより、撮影モードの順番を複数の並び順番から選択することができる。また、撮影者が所望の撮影モードを探す際に、利用頻度の高い順番に撮影モードを自動で並び替えてくれる順番１と、順番が変わらないので撮影モードの順番を覚えやすい順番２とを状況や好みに応じて選択して使用することができるので、利便性を向上させることができる。
【００７１】
さらに、上記実施形態では、撮影条件の使用頻度の高いものを変更基準情報１５ｅ、１１５ｅの基準値として設定したが、基準値はこれに限られるものではなく、例えば、撮影条件の設定値の平均をとってその値を基準値としても良い。
【００７２】
また、上記実施形態では、撮影条件の設定値と変更基準情報１５ｅ、１１５ｅの基準値との合致数が同数となった撮影モードが複数存在した場合、表示順変更前の順序に従って表示順を決定するようにしたが、表示順の決定方法はこれに限られるものではなく、例えば、被写体認識技術等を用いて被写体にふさわしい撮影モードから優先的に表示する等の手法を用いても良い。
【００７３】
さらに、上記実施形態では、撮影条件解析処理の解析対象として、「露出モード」、「ＥＶシフト」、「フラッシュ」等の撮影条件を例示したが、これに限られるものではなく、撮影機能に有効なその他の撮影条件を適用しても良い。
また、上記実施形態では、撮影モードの表示順変更処理として静止画像を対象として説明したが、これに限られるものではなく、例えば、動画像や音声付き静止画や音声のみ等の別の形式のデータを対象として撮影モードの表示順を変更するようにしても良い。
かかる場合には、例えば、動画の撮影時間や音声の記録時間等の撮影条件を解析対象として適用しても良い。
さらに、上記実施形態では、撮影条件解析処理にて、撮影条件の詳細な内容を数値化して解析するようにしたが、これに限られるものではなく、内容を識別可能であればテキスト情報などの別の情報に基づいて解析するようにしても良い。
【００７４】
加えて、上記実施形態では、撮影モード再生手段、撮影条件履歴解析手段、変更基準情報生成手段、再生順変更手段としての機能を、ＣＰＵ１６によって、所定のプログラム等が実行されることにより実現される構成としたが、これに限られるものではなく、例えば、各種機能を実現するためのロジック回路等から構成しても良い。
【図面の簡単な説明】
【００７５】
【図１】本発明を適用した撮影装置の好適な一実施形態のデジタルカメラを模式的に示した図である。
【図２】図１のデジタルカメラの概略構成を示すブロック図である。
【図３】図１のデジタルカメラに備わる記憶部の記憶内容を示す図である。
【図４】図１のデジタルカメラによる撮影モードを模式的に示した図である。
【図５】図１のデジタルカメラによる撮影モードを模式的に示した図である。
【図６】図１のデジタルカメラの記憶部に記憶された撮影履歴情報テーブルの一例を示す図である。
【図７】図１のデジタルカメラによる表示順変更処理に係る変更基準情報の一例を示す図である。
【図８】図７の表示順変更処理に係る比較結果テーブルの一例を示す図である。
【図９】図７の表示順変更処理による撮影モードの表示順の変更を模式的に示した図である。
【図１０】図７の表示順変更処理に係る動作の一例を示すフローチャートである。
【図１１】変形例１のデジタルカメラによる表示順変更処理に係る変更基準情報の一例を示す図である。
【図１２】図１１の表示順変更処理に係る比較結果テーブルの一例を示す図である。
【符号の説明】
【００７６】
１００  デジタルカメラ（撮影装置）
５      液晶表示画面（撮影モード表示手段、一覧表示手段）
６１    操作キー（モード選択手段、解析対象指定手段、撮影条件調整手段、撮影モード設定手段）
７      ＣＣＤ（撮影手段）
１５    記憶部（撮影条件記録手段、調整後撮影条件記録手段、設定後撮影条件記録手段）
１６    ＣＰＵ（撮影モード再生手段、撮影条件履歴解析手段、変更基準情報生成手段、再生順変更手段）
【図１】
2008089669.tif 000003
【図２】
2008089669.tif 000004
【図３】
2008089669.tif 000005
【図４】
2008089669.tif 000006
【図５】
2008089669.tif 000007
【図６】
2008089669.tif 000008
【図７】
2008089669.tif 000009
【図８】
2008089669.tif 000010
【図９】
2008089669.tif 000011
【図１０】
2008089669.tif 000012
【図１１】
2008089669.tif 000013
【図１２】
2008089669.tif 000014